(57)【要約】【課題】  大きな強風や振動等が加わっても、ラッチ装置が外れることなく蓋体の開放を防止する開閉式の照明器具を提供する。【解決手段】  照明器具１は、蓋体９と投光開口１２を有する器具本体１０とを有する灯具２と、投光開口１２に設けられた透光性カバー３と、灯具２の通孔１７に対向する位置にネジ孔１８を有する固定部材４と、灯具２に収納された光源４と、蓋体９または器具本体１０を回動自在に軸支する枢着部材６と、灯具２の係止部１６に引掛係止する開閉金具２１および係止部１６に引掛係止した状態の開閉金具１の通孔１７に対向する位置に形成された貫通孔２３を有し、蓋体９により器具本体１０の開口部を閉じた状態に保持するラッチ装置７と、開閉金具２１が灯具２の係止部１６に引掛係止した状態で、開閉金具２１の貫通孔２３および灯具２の通孔１７を貫通して固定部材４のネジ孔１８に螺着されたネジ８とを具備している。【選択図】図３
2010097905.tif 000002
【特許請求の範囲】
【請求項１】
蓋体と、この蓋体によって開閉される開口部を有する器具本体とを有してなり、前記蓋体および前記器具本体のいずれか一方の一端側に係止部が設けられ、かつ前記係止部よりも前記開口部側の位置に通孔が設けられた灯具と；
前記蓋体および前記器具本体のいずれか一方に形成された投光開口に設けられた透光性カバーと；
前記灯具の通孔に対向する位置にネジ孔が配設されるように前記蓋体および前記器具本体の他方の一端側に固定された固定部材と；
前記灯具に収納され、前記投光開口より放射光を出射する光源と；
前記灯具の他端側に設けられて前記蓋体または前記器具本体を回動自在に軸支する枢着部材と；
前記灯具の係止部に引掛係止する開閉金具および前記係止部に引掛係止した状態の前記開閉金具の前記通孔に対向する位置に形成された貫通孔を有し、前記蓋体および前記器具本体の他方の一端側に取り付けられて、前記蓋体により前記器具本体の開口部を閉じた状態に保持するラッチ装置と；
このラッチ装置の開閉金具が前記灯具の係止部に引掛係止した状態で、前記開閉金具の貫通孔および前記灯具の通孔をそれぞれ貫通して前記固定部材のネジ孔に螺着されたネジと；
を具備していることを特徴とする照明器具。
【請求項２】
固定部材は、ラッチ装置の取付基板とともにねじ止めされて固定されていることを特徴とする請求項１記載の照明器具。
【発明の詳細な説明】
【技術分野】
【０００１】
本発明は、街路灯やトンネル照明などの屋外で使用される照明器具に関する。
【背景技術】
【０００２】
街路灯やトンネル照明器具など、高所や交通量の多い場所に設置される照明器具は、ランプ交換や清掃などのメンテナンス作業を容易かつ迅速に行えるようにするために、例えば蓋体および器具本体の二重構造であり、ラッチ装置を用いた開閉式のものが使用されている。
【０００３】
また、当該照明器具は、そのラッチ装置が強風や振動等によりロック（引掛係止）が解除される場合があるので、ラッチ装置との二重ロック構造を有するように形成されている（例えば、特許文献１または特許文献２参照。）。すなわち、ラッチ装置を蓋体（シャーシ）に固定するネジを設け、蓋体を閉じた状態で当該ネジを締め付けることにより、ラッチ装置の開閉金具が蓋体に対して動かないように固定されている。これにより、強風や振動等によってラッチ装置の開閉金具が外れることが抑制され、蓋体および器具本体の開き（開放）が防止されるというものである。なお、ネジを器具本体に対して締め付けるようにした構造の照明器具も提案されている（特許文献２参照。）
【特許文献１】特許第４１２３４１３号公報（第４頁、第２図）
【特許文献２】特許第４１５１３４９号公報（第２頁、第９図）
【発明の開示】
【発明が解決しようとする課題】
【０００４】
特許文献１の照明器具は、蓋体が閉じた状態では、ラッチ装置がネジにより蓋体に固定されている。したがって、ラッチ装置は、照明器具に対してより大きい強風や振動等が加わると、ネジにより強固に蓋体に固定されているので外れないが、蓋体とともに蓋体の開き方向に引っ張られることがある。これにより、ラッチ装置の強度が低いと、開閉金具を回転伸縮させるクランプ金具やクランプ金具を開閉金具に取り付ける取付金具などが変形して、ラッチ装置が器具本体から外れることがあり、蓋体がラッチ装置ごと器具本体から開放することがあった。
【０００５】
そして、ラッチ装置が器具本体から外れないようにするためには、ラッチ装置を大きくしたり、ラッチ装置の取付金具の肉厚を厚くして強固にする必要があった。これにより、照明器具は、その重量が大きくなるとともに、コスト上昇するという問題があった。
本発明は、大きな強風や振動等が加わっても、ラッチ装置が外れることなく蓋体の開放を防止する開閉式の照明器具を提供することを目的とする。
【課題を解決するための手段】
【０００６】
請求項１に記載の照明器具の発明は、蓋体と、この蓋体によって開閉される開口部を有する器具本体とを有してなり、前記蓋体および前記器具本体のいずれか一方の一端側に係止部が設けられ、かつ前記係止部よりも前記開口部側の位置に通孔が設けられた灯具と；前記蓋体および前記器具本体のいずれか一方に形成された投光開口に設けられた透光性カバーと；前記灯具の通孔に対向する位置にネジ孔が配設されるように前記蓋体および前記器具本体の他方の一端側に固定された固定部材と；前記灯具に収納され、前記投光開口より放射光を出射する光源と；前記灯具の他端側に設けられて前記蓋体または前記器具本体を回動自在に軸支する枢着部材と；前記灯具の係止部に引掛係止する開閉金具および前記係止部に引掛係止した状態の前記開閉金具の前記通孔に対向する位置に形成された貫通孔を有し、前記蓋体および前記器具本体の他方の一端側に取り付けられて、前記蓋体により前記器具本体の開口部を閉じた状態に保持するラッチ装置と；このラッチ装置の開閉金具が前記灯具の係止部に引掛係止した状態で、前記開閉金具の貫通孔および前記灯具の通孔をそれぞれ貫通して前記固定部材のネジ孔に螺着されたネジと；を具備していることを特徴とする。
本発明および以下の発明において、特に言及しない限り、各構成は以下による。
【０００７】
蓋体および器具本体は、器具本体に対して蓋体が開閉されてもよく、蓋体に対して器具本体が開閉されるようにしてもよい。また、ラッチ装置は、蓋体および器具本体のどちらに設けられてもよい。
【０００８】
「蓋体および器具本体の他方」とは、蓋体および器具本体のいずれか一方に対する他方である。すなわち、一方が蓋体であるときには、他方は器具本体であり、一方が器具本体であるときには、他方は蓋体である。
光源は、蓋体および器具本体のどちらに配設されてもよい。
枢着部材は、蓋体および器具本体の一方を他方に回動自在に支持するものであり、例えば蝶番である。
【０００９】
本発明によれば、ネジがラッチ装置の開閉金具の貫通孔および灯具の通孔を貫通して固定部材のネジ孔に螺着されることにより、ラッチ装置が固定部材を介して灯具に固定されるので、灯具に強風や振動等が加わって、例えラッチ装置の開閉金具が灯具の係止部に引掛係止する機能が損なわれても、蓋体が器具本体から開放することが防止される。
【００１０】
また、ネジが固定部材のネジ孔に螺着されることにより、ラッチ装置は、ラッチ装置を取り付けている蓋体または器具本体に固定部材を介して固定されて、蓋体または器具本体に２重に固定されるので、灯具により大きな強風や振動等が加わって蓋体をラッチ装置ごと器具本体から開放しようとする力が作用しても、ラッチ装置のクランプ金具や取付金具などに加わる力が低減されて、ラッチ装置がラッチ装置を取り付けている蓋体または器具本体から外れにくくなる。
【００１１】
請求項２に記載の照明器具の発明は、請求項１記載の照明器具において、固定部材は、ラッチ装置の取付基板とともにねじ止めされて固定されていることを特徴とする。
本発明によれば、固定部材をラッチ装置の取付基板とともにねじ止めにより固定することにより、固定部材の配設スペースが容易に確保される。
【発明の効果】
【００１２】
請求項１の発明によれば、ラッチ装置は、ラッチ装置を取り付けている蓋体または器具本体に固定部材を介して固定されて、蓋体または器具本体から外れにくくなっているので、灯具により大きな強風や振動等が加わっても、蓋体の開放を防止することができ、品質の向上した開閉式の照明器具を提供することができる。
【００１３】
請求項２の発明によれば、固定部材は、ラッチ装置の取付基板とともにねじ止めされて固定されるので、固定部材を蓋体または器具本体に容易に取り付けることができる。
【発明を実施するための最良の形態】
【００１４】
以下、本発明の一実施の形態について、図面を参照して説明する。
【００１５】
図１ないし図３は、本発明の一実施の形態を示し、図１は照明器具の概略外観図、図２は照明器具の概略側面図、図３はラッチ装置の組付における照明器具の概略要部側面断面図である。
【００１６】
照明器具１は、直線形ポール用の道路灯であり、灯具２、透光性カバー３、固定部材４、光源としての高圧放電ランプ５、枢着部材６、ラッチ装置７およびネジ８を有して構成されている。
【００１７】
灯具２は、図１に示すように、それぞれアルミダイキャストで形成された蓋体９および器具本体１０を有して形成されている。蓋体９は、下端側９Ａに開口端９Ｃを有し、上端側９Ｂが閉塞されて、概略さじ状に形成されている。そして、蓋体９には、図２に示すように、高圧放電ランプ５に対向し、高圧放電ランプ５からの放射光を反射する反射鏡１１が配設されている。
【００１８】
器具本体１０は、図１に示すように、上端側１０Ａに蓋体９によって開閉される開口部（図示しない。）を有している。また、器具本体１０は、下端側１０Ｂに蓋体９と対向するように投光開口１２が形成されている。この投光開口１２を閉塞するようにして透光性カバー３が配設されている。透光性カバー３は、例えば強化ガラスからなっている。灯具２は、蓋体９および器具本体１０により内部空間が形成されている。
【００１９】
また、器具本体１０は、図２に示すように、その他端側１０Ｅにポール受け部１３が設けられており、このポール受け部１３において直線形ポール１４に固定されている。さらに、器具本体１０は、その他端側１０Ｅの内部にランプソケット１５を配設している。ランプソケット１５は、高圧放電ランプ５が前記内部空間に露出するようにして、高圧放電ランプ５を装着している。
【００２０】
そして、蓋体９は、図３に示すように、その一端側９Ｄに係止部１６が設けられているとともに、この係止部１６よりも灯具２の投光開口１２側の位置にネジ８が挿通される通孔１７が設けられている。そして、器具本体１０は、その一端側１０Ｄに固定部材４を取り付けている。
【００２１】
固定部材４は、所定幅を有する板状の例えば鋼板からなり、Ｌ形に折曲されている。そして、その一端側４ａには、ネジ８が螺着されるネジ孔１８が設けられている。固定部材４は、その他端側４ｂがラッチ装置７の取付基板２２とともに、ねじ１９により器具本体１０にねじ止めされて固定されている。そして、蓋体９が器具本体１０の開口部を閉じた状態で、蓋体９に設けられた通孔１７と、固定部材４のネジ孔１８とが対向（正対）するように、ネジ孔１８の形成位置および固定部材４の配設位置がそれぞれ設定されている。
【００２２】
高圧放電ランプ５は、例えばメタルハライドランプや高圧ナトリウムランプであり、図２に示すように、ランプソケット１５に装着されて灯具２に収納されている。そして、点灯により発光した放射光は、直接光および反射鏡１１で反射された反射光となって、器具本体１０の投光開口１２より外部空間に出射される。
【００２３】
枢着部材６およびラッチ装置７は、蓋体９を直線形ポール１４に固定されている器具本体１０に開閉自在に固定するものである。そして、ラッチ装置７は、灯具２の一端側２Ａに設けられ、枢着部材６は、灯具２の他端側２Ｂに設けられている。
【００２４】
枢着部材６は、蝶番等を有して構成され、蓋体９および器具本体１０を連結するとともに、支持軸２０を支点として蓋体９を器具本体１０に回動自在に軸支している。
【００２５】
ラッチ装置７は、図３に示すように、開閉金具２１、取付基板２２および開閉金具２１に形成された貫通孔２３を有している。ラッチ装置７は、さらに、開閉金具２１を回転伸縮させるクランプ金具２４やクランプ金具２４を開閉金具２１に取り付ける略Ｌ形の取付金具２５などを有して構成されている。クランプ金具２４は、取付基板２２の側板２２ａに回動自在に固定されている。
【００２６】
開閉金具２１は、先端側２１ａが略Ｌ字状の被係止部２６に形成され、その被係止部２６が蓋体９（灯具２）の係止部１６に引掛係止するように形成されている。取付基板２２は、ねじ１９により固定部材４とともに器具本体１０に固定される。
【００２７】
貫通孔２３は、開閉金具２１の被係止部２６が蓋体９の係止部１６に引掛係止した状態において、蓋体９に設けられた通孔１７に対向（正対）する位置に形成されている。そして、貫通孔２３は、その直径をネジ８が貫通できる大きさとしている。
【００２８】
ラッチ装置７は、蓋体９で器具本体１０の開口部が閉塞されているときに、すなわち蓋体９を器具本体１０に閉じているときに、開閉金具２１の被係止部２６を蓋体９の係止部１６に引掛係止することにより、蓋体９を器具本体１０に固定して、蓋体９により器具本体１０の開口部を閉じた状態に保持する。そして、前記引掛係止を解除することにより、蓋体９を器具本体１０から開放する（開く）ことが可能となっている。このように、ラッチ装置７は、蓋体９および器具本体１０を開閉自在に組み付けるものである。
【００２９】
ネジ８は、蝶ネジからなり、ラッチ装置７の開閉金具２１の被係止部２６が蓋体９（灯具２）の係止部１６に引掛係止した状態で、開閉金具２１に形成された貫通孔２３および蓋体９に設けられた通孔１７をそれぞれ貫通して固定部材４に設けられたネジ孔１８に螺着されるものである。この螺着が完全に行われることにより、開閉金具２１を灯具２（器具本体１０）に固定する。
次に、本発明の一実施の形態の作用について述べる。
【００３０】
蓋体９により器具本体１０の開口部を閉じた状態で、ラッチ装置７の開閉金具２１を回転移動させ、開閉金具２１の被係止部２６を蓋体９の係止部１６に引っ掛けて係止する。この開閉金具２１の引掛係止により、灯具２の蓋体９および器具本体１０が固定される。このとき、開閉金具２１に形成された貫通孔２３、蓋体９に設けられた通孔１７および固定部材４に設けられたネジ孔１８は、それぞれ同一直線上に位置し、それぞれ正対している。
【００３１】
そして、ネジ８を貫通孔２３に挿入して貫通させ、さらに通孔１７に挿入して貫通させて、さらにネジ孔１８に螺着させる。ネジ８は、ネジ孔１８に螺着されるときには、その先端が固定部材４を押圧し、固定部材４の一端側３ａが若干変位（移動）して、ネジ孔１８にねじ込まれる。ネジ８は、蝶ネジであるので、工具を使用することなく、手動でネジ孔１８にねじ込むことができる。
【００３２】
そして、ネジ８は、その頭部が開閉金具２１に当接するまでネジ孔１８にねじ込まれる。これにより、ラッチ装置７の開閉金具２１が蓋体９の係止部１６に引掛係止した状態で、開閉金具２１は、固定部材４を介して灯具２に固定される。したがって、灯具２に強風や振動等が加わっても、開閉金具２１の蓋体９の係止部１６における引掛係止が外れにくくなる。また、当該引掛係止が機能しなくなっても、開閉金具２１は、ネジ８により灯具２に固定されているので、蓋体９が器具本体１０から開放することが防止される。
【００３３】
そして、ラッチ装置７は、その取付基板２２が器具本体１０に取り付けられ、その開閉金具２１がネジ８および固定部材４を介して器具本体１０に取り付けられているので、２重に器具本体１０に固定されている。すなわち、ラッチ装置７は、器具本体１０に強固に取り付けられている。これにより、灯具２により大きな強風や振動等が加わって、蓋体９をラッチ装置７ごと器具本体１０から開放しようとする力が作用しても、ラッチ装置７のクランプ金具２４や取付金具２５などに加わる力が低減され、クランプ金具２４や取付金具２５などに変形が発生せず、ラッチ装置７が器具本体１０から外れにくい。この結果、ラッチ装置７を大きくしたり、ラッチ装置７の取付金具２５の肉厚を大きくするなど、ラッチ装置７を強固に構成することを要しなくすることができて、灯具２のコスト上昇を抑制することができる。そして、灯具２により大きな強風や振動等が加わっても、蓋体９がラッチ装置７ごと器具本体１０から開放することを防止することができ、品質の向上した開閉式の照明器具１を提供することができる。
【００３４】
また、固定部材４は、ラッチ装置７の取付基板２２とともに器具本体１０にねじ１９によりねじ止めされて固定されているので、灯具２の一端側２Ａでの固定部材４の配設スペースが容易に確保されて、固定部材４を器具本体１０に容易に取り付けることができる。これにより、省力化を図ることができ、灯具２のコスト上昇を抑制することができる。
【００３５】
なお、本発明の照明器具は、ラッチ装置７および固定部材４が蓋体９側に取り付けられ、灯具２の係止部１６が器具本体１０側に設けられてもよい。また、透光性カバー３が蓋体９側に設けられた照明器具であってもよいものである。
【図面の簡単な説明】
【００３６】
【図１】本発明の一実施の形態を示す照明器具の概略外観図。
【図２】同じく、照明器具の概略側面図。
【図３】同じく、ラッチ装置の組付における照明器具の概略要部側面断面図。
【符号の説明】
【００３７】
１…照明器具
２…灯具
３…透光性カバー
４…固定部材
５…光源としての高圧放電ランプ
６…枢着部材
７…ラッチ装置
８…ネジ
９…蓋体
１０…器具本体
１６…係止部
１７…通孔
１８…ネジ孔
２１…開閉金具
２３…貫通孔
【図１】
2010097905.tif 000003
【図２】
2010097905.tif 000004
【図３】
2010097905.tif 000005